(57)【要約】【課題】耐引掻性ポリオレフィンの提供。【解決手段】ポリオレフィン基材、例えばポリプロピレン、ポリエチレン又は熱可塑性オレフィン成形品は、長鎖アルコール又は長鎖アミンで官能化されたマレイン酸変性α−オレフィンと第一級脂肪酸アミド又は第二級脂肪酸アミドの添加剤組み合わせを配合することによって、耐引掻性が得られる。本発明のポリオレフィンは、優れた耐候性、耐引掻性、優れた加工安定性、優れた機械強度、優れた光沢の保留性を示し、かつ非粘着性である。官能化されたマレイン酸変性α−オレフィンは、例えば、マレイン酸変性炭素原子数１８ないし２６のα−オレフィンと牛脂アルコールのエステル又は半エステルである。脂肪酸アミドは、例えばオレイルパルミタミド又はステアリルエルカミドである。【選択図】なし【特許請求の範囲】
【請求項１】
（ａ）ポリオレフィン、
（ｂ）長鎖アルコール又は長鎖アミンで官能化されたマレイン酸変性α−オレフィン、及び、
（ｃ）第一級脂肪酸アミド又は第二級脂肪酸アミド
を含む組成物。
【請求項２】
前記ポリオレフィンがポリプロピレン又はポリエチレンである請求項１に記載の組成物。
【請求項３】
前記官能化されたマレイン酸変性α−オレフィンが、式
【化１】
2008505993.tif 000008
（式中、
Ｒは、炭素原子数１６ないし２４のアルキル基を表わし、
Ｒ1及びＲ2は、独立して、水素原子、炭素原子数１ないし２２のアルキル基又は炭素原子数２ないし２２のアルケニル基を表わし、ここで、Ｒ1及びＲ2の少なくとも１つは、炭素原子数１２ないし２２のアルキル基又はアルケニル基を表わし、
ｎは、平均分子量が約２００００ないし約５００００となるような整数を表わす。）で表されるエステル又は半エステルである請求項１に記載の組成物。
【請求項４】
前記官能化されたマレイン酸変性α−オレフィンが、牛脂アルコール、リシノレイルアルコール又はオレイルアルコールを有するマレイン酸変性炭素原子数１８ないし２６のα−オレフィンの半エステル又はエステルである請求項１に記載の組成物。
【請求項５】
前記官能化されたマレイン酸変性α−オレフィンが、式
【化２】
2008505993.tif 000009
（式中、
Ｒは、炭素原子数１６ないし２４のアルキル基を表わし、
Ｒ1、Ｒ2、Ｒ3及びＲ4は、独立して、水素原子又は炭素原子数１ないし２２のアルキル基又は炭素原子数２ないし２２のアルケニル基を表わし、ここで、Ｒ1、Ｒ2、Ｒ3又はＲ4の少なくとも１つは、炭素原子数１２ないし２２のアルキル基又はアルケニル基を表わし
、
ｎは、平均分子量が約２００００ないし約５００００となるような整数を表わす。）で表わされる第一級アミド又は第二級アミドであるか；又は、
前記官能化されたマレイン酸変性α−オレフィンが、式
【化３】
2008505993.tif 000010
（式中、
Ｒは、炭素原子数１６ないし２４のアルキル基を表わし、
Ｒ1は、炭素原子数１２ないし２２のアルキル基又はアルケニル基を表わし、
ｎは、平均分子量が約２００００ないし約５００００となるような整数を表わす。）で表わされるイミドである請求項１に記載の組成物。
【請求項６】
前記官能化されたマレイン酸変性α−オレフィンが、オレアミド、エルカミド、ステアラミド、ベヘナミド、オレイルパルミタミド、ステアリルエルカミド、エチレン−ビス−ステアラミド又はエチレン−ビス−オレアミドを有するマレイン酸変性炭素原子数１８ないし２６のα−オレフィンのアミドであるか；又は、官能化されたマレイン酸変性炭素原子数１８ないし２６のα−オレフィンが、オレアミド、エルカミド、ステアラミド又はベヘナミドを有するマレイン酸変性炭素原子数１８ないし２６のα−オレフィンのイミドである請求項１に記載の組成物。
【請求項７】
前記第一級脂肪酸アミド又は第二級脂肪酸アミドの脂肪基が、炭素原子数１１ないし２１のアルキル基又は炭素原子数１１ないし２１のアルケニル基である請求項１に記載の組成物。
【請求項８】
前記脂肪酸アミドが、ステアリルエルカミド又はオレイルパルミタミドである請求項１に記載の組成物。
【請求項９】
成分（ｂ）が、成分（ａ）の質量に基づき、０．０５ないし１５％の量で存在する請求項１に記載の組成物。
【請求項１０】
成分（ｃ）が、成分（ａ）の質量に基づき、０．０５ないし１５％の量で存在する請求項１に記載の組成物。
【請求項１１】
成分（ａ）、（ｂ）及び（ｃ）に加えて、更なる添加剤を含む請求項１に記載の組成物。
【請求項１２】
更なる添加剤として、ヒンダードアミン光安定剤、ヒドロキシルアミン安定剤、有機リン安定剤、ベンゾフラノン安定剤及びヒドロキシフェニルベンゾトリアゾール、ヒドロキシフェニル−ｓ−トリアジン又はベンゾフェノン紫外線吸収剤からなる群から選択される添加剤を１種以上含む請求項１１に記載の組成物。
【請求項１３】
ポリオレフィン基材に耐引掻性を付与する方法であって、該方法は、前記ポリオレフィ
ンに、（ｂ）長鎖アルコール又は長鎖アミンで官能化されたマレイン酸変性α−オレフィン及び（ｃ）第一級脂肪酸アミド又は第二級脂肪酸アミドの有効量を配合することからなる方法。
【請求項１４】
ポリオレフィンのための耐引掻性付与剤（ｓｃｒａｔｃｈ  ｒｅｓｉｓｔａｎｔ  ａｇｅｎｔ）としての、請求項１に記載の成分（ｂ）及び（ｃ）の混合物の使用。
【発明の詳細な説明】
【技術分野】
【０００１】
本発明は、耐引掻性ポリオレフィン組成物を目的とする。本発明はまた、特定の耐引掻性添加剤を配合することによりポリオレフィン組成物に耐引掻性を付与する方法を目的とする。ポリオレフィン組成物は、例えば、熱可塑性オレフィン（ＴＰＯ）成形品である。該成形品は、例えば自動車用途において有用である。
【背景技術】
【０００２】
米国特許第６，０４８，９４２号明細書は、ポリシロキサン、金属ステアレート、飽和脂肪酸アミド及び不飽和脂肪酸アミドから選択される傷抵抗性添加剤を含む熱可塑性オレフィン組成物を開示している。
【０００３】
特開２００２−３３８７７８号公報は、脂肪酸アミドを含むグラフトコポリマー組成物を教示している。
【０００４】
米国特許第５，７３１，３７６号明細書は、ポリオルガノシロキサンの含有によって耐引掻性が改善されたポリプロピレンブロックコポリマーを開示している。該組成物は、更に脂肪酸アミドを含み得る。
【０００５】
米国特許第５，５８５，４２０号明細書は、プレート状無機充填剤を含む耐引掻性ポリオレフィン組成物を教示している。該組成物は、更に、高ゴム性エチレン−プロピレンコポリマー、脂肪酸アミド、ポリオルガノシロキサン又はエポキシ樹脂を含み得る。
【０００６】
特開２００２−００３６９２号公報は、脂肪酸アミドを含むポリプロピレン樹脂を開示している。
【０００７】
特開昭６２−０７２７３９号公報は、特定のポリオレフィンと、ゴム状物質及び特定量の特定の粒子サイズの雲母を化合することによって製造される自動車部品用の成形品を目的とする。ポリオレフィンは、不飽和カルボン酸（無水物）、例えば無水マレイン酸で変性された特定のポリプロピレン及びポリオレフィンからなる。
【０００８】
特開昭６３−０１７９４７号公報は、耐引掻性プロピレンポリマー組成物を目的とする。
【０００９】
特開２００１−２６１９０２号公報は、内装品の製造のための成形材料として有用なポリプロピレン樹脂組成物を目的とする。
【００１０】
米国特許出願公開第２００３／０００４２４５号明細書は、ポリオレフィン及びポリオレフィンとα，β−不飽和カルボン酸エステル、α，β−不飽和カルボン酸又はα，β−不飽和カルボン酸無水物の反応生成物のブレンドを教示している。
【００１１】
ポリ無水物樹脂が、２００４年度ＣＰ  Ｃｈｅｍ  Ｓｐｅｃｉａｌｔｙ  Ｃｈｅｍｉｃａｌｓデータシートに記載されている。
【特許文献１】米国特許第６，０４８，９４２号明細書
【特許文献２】特開２００２−３３８７７８号公報
【特許文献３】米国特許第５，７３１，３７６号明細書
【特許文献４】米国特許第５，５８５，４２０号明細書
【特許文献５】特開２００２−００３６９２号公報
【特許文献６】特開昭６２−０７２７３９号公報
【特許文献７】特開昭６３−０１７９４７号公報
【特許文献８】特開２００１−２６１９０２号公報
【特許文献９】米国特許出願公開第２００３／０００４２４５号明細書
【非特許文献１】２００４年度ＣＰ  Ｃｈｅｍ  Ｓｐｅｃｉａｌｔｙ  Ｃｈｅｍｉｃａｌｓデータシート
【発明の開示】
【００１２】
驚くべきことに、ポリオレフィン基材は、長鎖アルコール又は長鎖アミンで官能化されたマレイン酸変性α−オレフィン及び第一級脂肪酸アミド又は第二級脂肪酸アミドの添加剤の組み合わせを配合することによって、耐引掻性を得ることが発見された。
【００１３】
本発明は、
（ａ）ポリオレフィン、
（ｂ）長鎖アルコール又は長鎖アミンで官能化されたマレイン酸変性α−オレフィン、及び、
（ｃ）第一級脂肪酸アミド又は第二級脂肪酸アミド
を含む組成物に関する。
【００１４】
ポリオレフィン基材に耐引掻性を付与する方法であって、該方法は、前記ポリオレフィンに、（ｂ）長鎖アルコール又は長鎖アミンで官能化されたマレイン酸変性α−オレフィン及び（ｃ）第一級脂肪酸アミド又は第二級脂肪酸アミドの有効量を配合することからなる方法も開示する。
【００１５】
ポリオレフィンの例は以下の通りである：
１．モノオレフィン及びジオレフィンのポリマー、例えばポリプロピレン、ポリイソブチレン、ポリブテ−１−エン、ポリ−４−メチルペンテ−１−エン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００１６】
ポリオレフィン、すなわち前の段落において例示したモノオレフィンのポリマー、例えばポリエチレン及びポリプロピレンは、異なる方法によりそしてとりわけ以下の方法により調製され得る：
ｉ）ラジカル重合（通常は高圧及び高温下において）。
ｉｉ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはｐ−又はｓ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（
デュポン）、メタロセン又はシングルサイト触媒（ＳＳＣ）と命名される。
【００１７】
２．１.）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００１８】
３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー及び一酸化炭素又はエチレン／アクリル酸コポリマーを有するそれらのコポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムのポリアルキレン／一酸化炭素コポリマー及びそれらの他の交互ポリマー、例えばポリアミドとの混合物。
【００１９】
４．１.）で言及されたポリマーと衝撃改質剤、例えばエチレン−プロピレン−ジエンモノマーコポリマー（ＥＰＤＭ）、エチレンとより高級なα−オレフィンのコポリマー（例えば、エチレン−オクテンコポリマー）、ポリブタジエン、ポリイソプレン、スチレン−ブタジエンコポリマー、水素化スチレン−ブタジエンコポリマー、スチレン−イソプレンコポリマー、水素化スチレン−イソプレンコポリマーのブレンド。これらのブレンドは、一般に、業界では、ＴＰＯ’ｓ（熱可塑性ポリオレフィン類）として言及される。
【００２０】
本発明のポリオレフィンは、例えば、ポリプロピレンホモポリマー及びコポリマー、及びポリエチレンホモポリマー及びコポリマーを含むポリプロピレン又はポリエチレンである。例えば、ポリプロピレン、高密度ポリエチレン（ＨＤＰＥ）、線状低密度ポリエチレン（ＬＬＤＰＥ）及び、ポリプロピレンランダム及び耐衝撃性（異相性の）コポリマー。本発明の好ましいポリオレフィンは、ポリプロピレンホモポリマー、ポリプロピレン耐衝撃性（異相性の）コポリマー、それらのブレンド及びＴＰＯ’ｓ、例えば、ポリプロピレンホモポリマー及び耐衝撃性コポリマーとＥＰＤＭ又はエチレン−α−オレフィンコポリマーのブレンドを含む。
【００２１】
本発明のポリオレフィンは、とりわけＴＰＯ’ｓである。ＴＰＯは、例えば約１０ないし約９０部のプロピレンホモポリマー、コポリマー又はターポリマー、及び約９０ないし約１０部（質量部）のエチレン及び炭素原子数３ないし８のα−オレフィンの弾性コポリマーからなる。ＴＰＯは、例えば米国特許第６，０４８，９４２号明細書に開示される。
【００２２】
マレイン酸変性α−オレフィンは、例えば、米国特許出願公開第２００３／０００４２４５号明細書に開示される。マレイン酸変性α−オレフィンは、例えば、α−オレフィンと無水マレイン酸又はマレイン酸の反応生成物である。反応は、従来技術で既知の方法によって行われる。例えば、反応は、フリーラジカル開始剤の存在下で溶融法によって行われ得る。該ラジカル開始剤は、例えばペルオキシド又は有機アゾ化合物である。
【００２３】
例えば、本発明のマレイン酸変性α−オレフィンのα−オレフィンは、炭素原子数３ないし約３３までのものであり、例えば、α−オレフィンは、炭素原子数１８ないし２６のα−オレフィン、例えば炭素原子数２２ないし２６の又は炭素原子数１８のα−オレフィンである。
【００２４】
マレイン酸変性α−オレフィンは、長鎖アルコール又は長鎖アミンで官能化される。即ち、マレイン酸変性α−オレフィンは、長鎖アルコール又は長鎖アミンと反応し、エステル又はアミド又はイミド生成物を形成する。
【００２５】
例えば、本発明の官能化されたマレイン酸変性α−オレフィンは、長鎖アルコールとの反応から得られるエステル又は半エステル生成物であるか、又は長鎖第一級アミン又は第二級アミンとの反応から得られるアミド又はイミド生成物である。イミドは、半アミドを加熱することによって製造され得る。本発明の官能化されたマレイン酸変性α−オレフィンは、エステル及びアミドの混合物であり得る。
【００２６】
半エステル誘導体は、反応混合物から水が除去されないような条件下で、攪拌下の、適当な溶媒中のマレイン酸変性α−オレフィンの酸触媒溶液へアルコールを滴下添加することによって形成され得る。適当な溶媒は、例えば、メチルイソブチルケトンである。適当な酸触媒は、硫酸、メタンスルホン酸及びｐ−トルエンスルホン酸を含む。ジエステルは、過剰なアルコールを使用し、完全なエステル化に向けて反応を進めるために水を除去して製造される。
【００２７】
例えば、官能化されたマレイン酸変性α−オレフィンは、式
【化１】
2008505993.tif 000002
（式中、
Ｒは、炭素原子数１６ないし２４のアルキル基を表わし、
Ｒ1及びＲ2は、独立して、水素原子、炭素原子数１ないし２２のアルキル基又は炭素原子数２ないし２２のアルケニル基を表わし、ここで、Ｒ1及びＲ2の少なくとも１つは、炭素原子数１２ないし２２のアルキル基又はアルケニル基を表わし、
ｎは、平均分子量が約２００００ないし約５００００となるような整数を表わす。）で表されるエステル又は半エステルである。
【００２８】
例えば、本発明の官能化されたマレイン酸変性α−オレフィンは、式
【化２】
2008505993.tif 000003
（式中、
Ｒは、炭素原子数１６ないし２４のアルキル基を表わし、
Ｒ1、Ｒ2、Ｒ3及びＲ4は、独立して、水素原子又は炭素原子数１ないし２２のアルキル基又は炭素原子数２ないし２２のアルケニル基を表わし、ここで、Ｒ1、Ｒ2、Ｒ3又はＲ4の少なくとも１つは、炭素原子数１２ないし２２のアルキル基又はアルケニル基を表わし、
ｎは、平均分子量が約２００００ないし約５００００となるような整数を表わす。）で表わされる第一級アミド又は第二級アミドである。
【００２９】
例えば、本発明の官能化されたマレイン酸変性α−オレフィンは、式
【化３】
2008505993.tif 000004
（式中、
Ｒは、炭素原子数１６ないし２４のアルキル基を表わし、
Ｒ1は、炭素原子数１２ないし２２のアルキル基又はアルケニル基を表わし、
ｎは、平均分子量が約２００００ないし約５００００となるような整数を表わす。）で表わされるイミドである。
【００３０】
例えば、Ｒは、炭素原子数１６のアルキル基又は炭素原子数２０ないし２４のアルキル基である。
【００３１】
例えば、本発明の官能化されたマレイン酸変性α−オレフィンは、牛脂アルコール、リシノレイルアルコール［ＣＡＳ登録番号：５４０−１１−４］又はオレイルアルコールを有するマレイン酸変性炭素原子数１８ないし２６のα−オレフィンの半エステル又はエステルである。即ち、マレイン酸変性α−オレフィンと長鎖アルコールの半エステル又はエステル反応生成物である。
【００３２】
例えば、本発明の官能化されたマレイン酸変性α−オレフィンは、オレアミド、エルカミド、ステアラミド、ベヘナミド、オレイルパルミタミド、ステアリルエルカミド、エチレン−ビス−ステアラミド又はエチレン−ビス−オレアミドを有するマレイン酸変性炭素原子数１８ないし２６のα−オレフィンのアミドであるか、又は、オレアミド、エルカミド、ステアラミド又はベヘナミドを有するマレイン酸変性炭素原子数１８ないし２６のα
−オレフィンのイミドである。
【００３３】
第一級脂肪酸アミド又は第二級脂肪酸アミドの脂肪基は、炭素原子数１１ないし２１のアルキル基又は炭素原子数１１ないし２１のアルケニル基である。本発明の第二級脂肪酸アミドは、ビスアミドではなく、メチレン−ビスアミド又はエチレンビスアミドである。
【００３４】
第一級脂肪酸アミド又は第二級脂肪酸アミドは、例えばオレアミド、エルカミド、ステアラミド、ベヘナミド、オレイルパルミタミド及びステアリルエルカミドからなる群から選択される少なくとも１種の化合物である。
【００３５】
特に、本発明の脂肪酸アミドは、第二級脂肪酸アミド、例えばステアリルエルカミド又はオレイルパルミタミドである。
【００３６】
適当な脂肪酸アミドは、例えば米国特許第６，２２８，９１５号明細書に開示される。
【００３７】
アルキル基は、直鎖又は枝分かれ鎖であり、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基又はドコシル基である。
【００３８】
２ないし２２個の炭素原子を有するアルケニル基は、例えば、ビニル基、プロペニル基（アリル基）、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソ−ドデセニル基、オレイル基、ｎ−２−オクタデセニル基又はｎ−４−オクタデセニル基等の枝分かれした又は非枝分かれの基である。
【００３９】
官能化されたマレイン酸変性α−オレフィン添加剤［成分（ｂ）］と第一級脂肪酸アミド又は第二級脂肪酸アミド添加剤［成分（ｃ）］の質量比は、例えば、約１：１ないし約２０：１、例えば約１：１ないし約１５：１、約１：１ないし約１０：１、約１：１ないし約７：１又は約１：１ないし約５：１である。例えば、官能化されたマレイン酸変性α−オレフィンと第一級脂肪酸アミド又は第二級脂肪酸アミドの質量比は、約１．５：１、約２：１、約３：１又は約４：１である。
【００４０】
ポリオレフィン基材中に配合される官能化されたマレイン酸変性α−オレフィンと第一級脂肪酸アミド又は第二級脂肪酸アミドの添加剤組み合わせの総量は、例えば、ポリオレフィン基材の質量に基づき約１質量％ないし約１５質量％である。例えば、添加剤組み合わせは、ポリオレフィン基材の質量に基づき、約１質量％ないし約１０質量％、約３質量％ないし約７質量％又は約３質量％ないし約５質量％の量で存在する。
【００４１】
成分（ｂ）は、好ましくは、ポリオレフィンの質量に基づき、０．０５ないし１５％、特に１ないし１０％、例えば１ないし７％の量でポリオレフィンに添加される。
【００４２】
成分（ｃ）は、好ましくは、ポリオレフィンの質量に基づき、０．０５ないし１５％、特に１ないし１０％、例えば１ないし７％の量でポリオレフィンに添加される。
【００４３】
本発明の添加剤は、個々に又は互いに混合して、ポリオレフィン基材へ添加され得る。所望により、個々の成分は、ポリオレフィンへの配合前に、例えば、ドライブレンド、圧縮によって、又は溶融液中で、互いに混合され得る。
【００４４】
本発明の添加剤の配合は、粉末形態でのドライブレンド、又は例えば不活性溶媒、水もしくはオイル中での溶液、分散液又は懸濁液の形態での湿式混合のような既知の方法によって行われる。本発明の添加剤は、例えば、成形の前又は後に配合され得るか、もしくは、溶解又は分散した添加剤もしくは添加剤混合物をポリオレフィン材料へ適用し、その後、任意に溶媒又は懸濁／分散剤の蒸発を行うことによっても行われる。それらは、例えば、ドライ混合物又は粉末として、もしくは溶液又は分散液又は懸濁液又は溶融液として、加工装置（例えば、押出機、密閉式ミキサー等）中へ直接添加され得る。
【００４５】
配合は、攪拌機を備えたいかなる加熱可能な容器中、例えば、ニーダー、ミキサー又は攪拌容器のような密閉式装置中で行われ得る。配合は、好ましくは押出機中又はニーダー中で行われる。加工が、不活性雰囲気中又は酸素の存在下のどちらかで行われるかは重要ではない。
【００４６】
ポリオレフィン基材への添加剤の添加は、ポリオレフィンが溶融され、かつ添加剤と混合される、全ての慣例の混合機中で行われ得る。適当な機械は、当業者によって既知である。それらは、主にミキサー、ニーダー及び押出機である。
【００４７】
加工は、押出し、同時混練、引抜成形、圧縮成形、シート押出し、熱成形、射出成形又は回転成形を含む。加工は、好ましくは、加工の間に押出機中に添加剤を導入することによって行われる。
【００４８】
特に好ましい加工機械は、一軸スクリュー押出機、同時回転及び逆回転する二軸スクリュー押出機、回転成形機、遊星歯車押出機、リング押出機又はコニーダーである。少なくとも１つの減圧下で使用され得るガス除去区画を備えた加工装置を使用することも又可能である。
【００４９】
適当な押出機及びニーダーは、例えば、Ｈａｎｄｂｕｃｈ  ｄｅｒ  Ｋｕｎｓｔｓｔｏｆｆｅｘｔｒｕｓｉｏｎ，Ｇｒｕｎｄｌａｇｅｎ  第１巻，編者．Ｆ．ヘンセン，Ｗ．クナッペ，Ｈ．ポテンテ，１９８９年，３−７頁，ＩＳＢＮ：３−４４６−１４３３９−４（Ｅｘｔｒｕｓｉｏｎｓａｎｌａｇｅｎ  １９８６  第２巻，ＩＳＢＮ３−４４６−１４３２９−７）に記載されている。
【００５０】
例えば、前記スクリューの長さは１ないし６０のスクリュー径、好ましくは３５ないし４８のスクリュー径である。前記スクリューの回転速度は、好ましくは１０ないし６００回毎分（ｒｐｍ）、より特に好ましくは２５ないし３００ｒｐｍである。
【００５１】
最大押出量は、スクリュー径、回転速度及び駆動力に依存している。本発明の方法はまた、上記したパラメーターを変化させること、もしくは投与量を分配する計量機を使用することによって、最大押出量より低い押出量においても実施され得る。
【００５２】
もしも、多数の成分が添加されるならば、それらは、予備混合されるか又は個々に添加され得る。
【００５３】
本発明の添加剤はまた、ポリオレフィン材料上へ噴霧もされ得る。それらは、他の添加剤（例えば、任意の慣用的な添加剤）又はそれらの溶融液を希釈可能であり、そのためそ
れらも又、これらの添加剤と共に材料上へ噴霧され得る。重合触媒の失活の間の噴霧による添加は、特に効果的であり；この場合、放出されたスチームが、重合触媒の失活のために使用され得る。球状に重合したポリオレフィンの場合、例えば、本発明の添加剤を、所望により、他の添加剤と一緒に噴霧により使用することは有効で有り得る。
【００５４】
本発明の添加剤及び任意の更なる添加剤はまたポリマーに、例えば、あるポリマー中に配合された、約１質量％ないし約４０質量％、及び好ましくは２質量％ないし２０質量％の濃度で前記成分を含むマスターバッチ（‘‘濃縮物’’）の形状でポリオレフィンに添加され得る。前記ポリマーは、最終的に添加剤が添加されるポリオレフィンと必ずしも同一構造である必要がない。このような操作において、該ポリマーは、粉末、グラニュール、溶液、懸濁液の形態で、もしくはラテックスの形態で使用され得る。
【００５５】
配合は、成形操作の前又は間に行われ得るか、もしくは、溶解又は分散した化合物をポリオレフィンへ適用し、その後、所望により溶媒の蒸発を行うことによって行われる。ポリオレフィン中へ本発明の添加剤を配合するための更なる可能性は、対応するモノマーの重合の前に、間にもしくは直後に、又は架橋の前にそれらを添加することである。これに関連して、本発明の添加剤は、そのままの状態で、さもなければ（例えば、ワックス、オイル又はポリマー中に）カプセル化された形状で添加され得る。
【００５６】
ここに記載された本発明の添加剤を含むポリオレフィンは、成形品、回転成形品、射出成形品、吹込み成形品、異形材等の製造のために使用され得る。
【００５７】
本発明のポリオレフィンはまた、所望により、約０．０１ないし約５質量％、好ましくは約０．０２５ないし約２質量％、特に約０．１ないし約１質量％の様々な更なる添加剤、例えば下記に列挙した化合物又はそれらの混合物も含み得る。
【００５８】
１．抗酸化剤
１．１．アルキル化モノフェノール、例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状または側鎖において分岐したノニルフェノール、例えば、２，６−ジ−ノニル−４−メチルフェノール、２，４−ジメチル−６−（１−メチルウンデシ−１−イル）フェノール、２，４−ジメチル−６−（１−メチルヘプタデシ−１−イル）フェノール、２，４−ジメチル−６−（１−メチルトリデシ−１−イル）フェノールおよびそれらの混合物。
【００５９】
１．２．アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６０】
１．３．ヒドロキノンおよびアルキル化ヒドロキノン、例えば、２，６−ジ−第三ブチル−４−メトキシフェノール、２，５−ジ−第三ブチルヒドロキノン、
２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−
ヒドロキシフェニル）アジペート。
【００６１】
１．４．トコフェロール、例えば、α−トコフェロール、β−トコフェロール、γ−トコフェロール、δ−トコフェロールおよびそれらの混合物（ビタミンＥ）。
【００６２】
１．５．ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００６３】
１．６．アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３−第三ブチル−４−ヒドロキシフェニル）ブチレート］、ビス（３−第三ブチル−４−ヒドロキシ−５−メチルフェニル）ジシクロペンタジエン、ビス［２−（３−第三ブチル−２−ヒドロキシ−５−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００６４】
１．７．ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、１，３，５−トリ−（３，５−ジ−第三ブチル−４−ヒドロキシベンジル）−２，４，６−トリメチルベンゼン、ジ−（３，５−ジ−第三ブチル−４−ヒドロキシベンジル）スルフィド、３，５−ジ−第三ブチル−４−ヒドロキシベンジル−メルカプト−酢酸イソオクチルエステル、ビス（４−第三ブチル−３−ヒドロキシ−２，６−ジメチルベンジル）ジチオールテレフタレート、１，３，５−トリス−（３，５−ジ−第三ブチル−４−ヒドロキシベンジル）イソシアヌレート、１，３，５−トリス−（４−第三ブチル−３−ヒドロキシ−２，６−ジメチルベンジル）イソシアヌレート、３，５−ジ−第三ブチル−４−ヒドロキシベンジル−リン酸ジオクタデシルエステル及び３，５−ジ−第三ブチル−４−ヒドロキシベンジル−リン酸モノエチルエステル、カルシウム塩。
【００６５】
１．８．ヒドロキシベンジル化マロネート、例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００６６】
１．９．芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００６７】
１．１０．トリアジン化合物、例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００６８】
１．１１．ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００６９】
１．１２．アシルアミノフェノール、例えば、４−ヒドロキシラウリン酸アニリド、４−ヒドロキシステアリン酸アニリド、２，４−ビス−オクチルメルカプト−６−（３，５−第三ブチル−４−ヒドロキシアニリノ）−ｓ−トリアジン及びオクチル−Ｎ−（３，５−ジ−第三ブチル−４−ヒドロキシフェニル）−カルバメート。
【００７０】
１．１３．β−（３，５−ジ−第三ブチル−４−ヒドロキシフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７１】
１．１４．β−（５−第三ブチル−４−ヒドロキシ−３−メチルフェニル）プロピオン
酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７２】
１．１５．β−（３，５−ジシクロヘキシル−４−ヒドロキシフェニル）プロピオン酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７３】
１．１６．３，５−ジ−第三ブチル−４−ヒドロキシフェニル酢酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７４】
１．１７．β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミン、Ｎ，Ｎ’−ビス（３，５−ジ−第三ブチル−４−ヒドロキシフェニルプロピオニル）トリメチレンジアミン、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１（登録商標：Ｎａｕｇａｒｄ））。
【００７５】
１．１８．アスコルビン酸（ビタミンＣ）
【００７６】
１．１９．アミン系抗酸化剤、例えば、Ｎ，Ｎ’−ジ−イソプロピル−ｐ−フェニレンジアミン、Ｎ，Ｎ’−ジ−第二ブチル−ｐ−フェニレンジアミン、
Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルフ
ァモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、
（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００７７】
２．紫外線吸収剤および光安定剤
２．１．２−（２−ヒドロキシフェニル）−２Ｈ−ベンゾトリアゾール、
既知の市販のヒドロキシフェニル−２Ｈ−ベンゾトリアゾール及び米国特許第３，００４，８９６号明細書、米国特許第３，０５５，８９６号明細書、米国特許第３，０７２，５８５号明細書、米国特許第３，０７４，９１０号明細書、米国特許第３，１８９，６１５号明細書、米国特許第３，２１８，３３２号明細書、米国特許第３，２３０，１９４号明細書、米国特許第４，１２７，５８６号明細書、米国特許第４，２２６，７６３号明細書、米国特許第４，２７５，００４号明細書、米国特許第４，２７８，５８９号明細書、米国特許第４，３１５，８４８号明細書、米国特許第４，３４７，１８０号明細書、米国特許第４，３８３，８６３号明細書、米国特許第４，６７５，３５２号明細書、米国特許第４，６８１，９０５号明細書、米国特許第４，８５３，４７１号明細書、米国特許第５，２６８，４５０号明細書、米国特許第５，２７８，３１４号明細書、米国特許第５，２８０，１２４号明細書、米国特許第５，３１９，０９１号明細書、米国特許第５，４１０，０７１号明細書、米国特許第５，４３６，３４９号明細書、米国特許第５，５１６，９１４号明細書、米国特許第５，５５４，７６０号明細書、米国特許第５，５６３，２４２号明細書、米国特許第５，５７４，１６６号明細書、米国特許第５，６０７，９８７号明細書、米国特許第５，９７７，２１９号明細書及び米国特許第６，１６６，２１８号明細書に開示されたようなベンゾトリアゾール、例えば、２−（２−ヒドロキシ−５−メチルフェニル）−２Ｈ−ベンゾトリアゾール、２−（３，５−ジ−第三ブチル−２−ヒドロキシフェニル）−２Ｈ−ベンゾトリアゾール、２−（２−ヒドロキシ−５−第三ブチルフェニル）−２Ｈ−ベンゾトリアゾール、２−（２−ヒドロキシ−５−第三オクチルフェニル）−２Ｈ−ベンゾトリアゾール、５−クロロ−２−（３，５−ジ−第三ブチル−２−ヒドロキシフェニル）−２Ｈ−ベンゾトリアゾール、５−クロロ−２−（３−第三ブチル−２−ヒドロキシ−５−メチルフェニル）−２Ｈ−ベンゾトリアゾール、２−（３−第二ブチル−５−第三ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−第三アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−
（３−第三ブチル−２−ヒドロキシ−５−（２−（ω−ヒドロキシ−オクタ−（エチレンオキシ）カルボニル−エチル）−，フェニル）−２Ｈ−ベンゾトリアゾール、２−（３−ドデシル−２−ヒドロキシ−５−メチルフェニル）−２Ｈ−ベンゾトリアゾール、２−（３−第三ブチル−２−ヒドロキシ−５−（２−オクチルオキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−第三ブチル−２−ヒドロキシ−５−（２−オクチルオキシカルボニルエチル）フェニル）−５−クロロ−２Ｈ−ベンゾトリアゾール、２−（３−第三ブチル−５−（２−（２−エチルヘキシルオキシ）−カルボニルエチル）−２−ヒドロキシフェニル）−５−クロロ−２Ｈ−ベンゾトリアゾール、２−（３−第三ブチル−２−ヒドロキシ−５−（２−メトキシカルボニルエチル）フェニル）−５−クロロ−２Ｈ−ベンゾトリアゾール、２−（３−第三ブチル−２−ヒドロキシ−５−（２−メトキシカルボニルエチル）フェニル）−２Ｈ−ベンゾトリアゾール、２−（３−第三ブチル−５−（２−（２−エチルヘキシルオキシ）カルボニルエチル）−２−ヒドロキシフェニル）−２Ｈ−ベンゾトリアゾール、２−（３−第三ブチル−２−ヒドロキシ−５−（２−イソオクチルオキシカルボニルエチル）フェニル−２Ｈ−ベンゾトリアゾール、２，２’−メチレン−ビス（４−第三オクチル−（６−２Ｈ−ベンゾトリアゾール−２−イル）フェノール）、２−（２−ヒドロキシ−３−α−クミル−５−第三オクチルフェニル）−２Ｈ−ベンゾトリアゾール、２−（２−ヒドロキシ−３−第三オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−第三オクチルフェニル）−２Ｈ−ベンゾトリアゾール、２−（３−第三ブチル−２−ヒドロキシ−５−（２−イソオクチルオキシカルボニルエチル）フェニル）−５−クロロ−２Ｈ−ベンゾトリアゾール、５−トリフルオルメチル−２−（２−ヒドロキシ−３−α−クミル−５−第三オクチルフェニル）−２Ｈ−ベンゾトリアゾール、５−トリフルオロメチル−２−（２−ヒドロキシ−５−第三オクチルフェニル）−２Ｈ−ベンゾトリアゾール、５−トリフルオロメチル−２−（２−ヒドロキシ−３，５−ジ−第三オクチルフェニル）−２Ｈ−ベンゾトリアゾール、メチル３−（５−トリフルオロメチル−２Ｈ−ベンゾトリアゾール−２−イル）−５−第三ブチル−４−ヒドロキシヒドロシンナメート、５−ブチルスルホニル−２−（２−ヒドロキシ−３−α−クミル−５−第三オクチルフェニル）−２Ｈ−ベンゾトリアゾール、５−トリフルオロメチル−２−（２−ヒドロキシ−３−α−クミル−５−第三ブチルフェニル）−２Ｈ−ベンゾトリアゾール、５−トリフルオロメチル−２−（２−ヒドロキシ−３，５−ジ−第三ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−第三ブチルフェニル）−２Ｈ−ベンゾトリアゾール及び ５−フェニルスルホニル−２−（２−ヒドロキシ−３，５−ジ−第三ブチルフェニル）−２Ｈ−ベンゾトリアゾール。
【００７８】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００７９】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベ
ンゾエート、２−メチル−４，６−ジ−第三ブチルフェニル３，５−ジ−第三ブチル−４−ヒドロキシベンゾエート。
【００８０】
２．４．アクリレート及びマロネート、
例えば、α−シアノ−β，β−ジフェニルアクリル酸エチルエステル又はイソオクチルエステル、α−カルボメトキシ−桂皮酸メチルエステル、α−シアノ−β−メチル−ｐ−メトキシ−桂皮酸メチルエステル又はブチルエステル、α−カルボメトキシ−ｐ−メトキシ−桂皮酸メチルエステル、Ｎ−（β−カルボメトキシ−β−シアノビニル）−２−メチル−インドリン、サンデュボアー（登録商標：Ｓａｎｄｕｖｏｒ）ＰＲ２５、ジメチルｐ−メトキシベンジリデンマロネート（ＣＡＳ登録番号：７４４３−２５−６）、及びサンデュボアー（登録商標：Ｓａｎｄｕｖｏｒ）ＰＲ３１、ジ−（１，２，２，６，６−ペンタメチルピペリジン−４−イル）ｐ−メトキシベンジリデンマロネート（ＣＡＳ登録番号：１４７７８３−６９−５）。
【００８１】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００８２】
２．６．立体障害アミン安定剤、
例えば、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタン
の縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００８３】
立体障害アミンはまた、米国特許第５，９８０，７８３号明細書に記載される化合物、即ち成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−Ｈ）、Ｉ−ｉ）、Ｉ−ｊ）、Ｉ−ｋ）又はＩ−ｌ）の化合物、特に前記米国特許第５，９８０，７８３号明細書の第６４欄ないし第７２欄に列挙される光安定剤１−ａ−１、１−ａ−２、１−ｂ−１、１−ｃ−１、１−ｃ−２、１−ｄ−１、１−ｄ−２、１−ｄ−３、１−ｅ−１、１−ｆ−１、１−ｇ−１、１−ｇ−２又は１−ｋ−１の一つであり得、この関連部分は参照としてここに組み込まれる。
【００８４】
立体障害アミンはまた、米国特許第６，０４６，３０４号明細書及び米国特許第６，２９７，２９９号明細書に記載される化合物、例えば、その中の請求項１０又は３８又は実施例１ないし１２又はＤ−１ないしＤ−５に記載される化合物の一つでもあり得、この開示は参照としてここに組み込まれる。
【００８５】
２．７．ヒドロキシ置換アルコキシ基によって、Ｎ−原子上を置換された立体障害アミン、
例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンと第三アミルアルコールからの炭素基との反応生成物、１−（２−ヒドロキシ−２−メチルプロポキシ）−４−ヒドロキシ−２，２，６，６−テトラメチルピペリジン、 １−（２−ヒドロキシ
−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ
）−２，２，６，６−テトラメチルピぺリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート及び２，４−ビス｛Ｎ−[１−（２−ヒドロキシ−２−メチルプロポキシ）−２，２，６，６−テトラメチルピペリジン−４−イル]−Ｎ−ブチルアミノ｝−６−（２−ヒドロキシエチルアミノ）−ｓ−トリアジン等の化合物。
【００８６】
２．８．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００８７】
２．９．トリス−アリール−ｏ−ヒドロキシフェニル−ｓ−トリアジン、
既知の市販のトリス−アリール−ｏ−ヒドロキシフェニル−ｓ−トリアジン及び例えば、米国特許第３，８４３，３７１号明細書、米国特許第４，６１９，９５６号明細書、米国特許第４，７４０，５４２号明細書、米国特許第５，０９６，４８９号明細書、米国特許第５，１０６，８９１号明細書、米国特許第５，２９８，０６７号明細書、米国特許第５，３００，４１４号明細書、米国特許第５，３５４，７９４号明細書、米国特許第５，４６１，１５１号明細書、米国特許第５，４７６，９３７号明細書、米国特許第５，４８９，５０３号明細書、米国特許第５，５４３，５１８号明細書、米国特許第５，５５６，９７３号明細書、米国特許第５，５９７，８５４号明細書、米国特許第５，６８１，９５５号明細書、米国特許第５，７２６，３０９号明細書、米国特許第５，７３６，５９７号明細書、米国特許第５，９４２，６２６号明細書、米国特許第５，９５９，００８号明細書、米国特許第５，９９８，１１６号明細書、米国特許第６，０１３，７０４号明細書、米国特許第６，０６０，５４３号明細書、米国特許第６，２４２，５９８号明細書及び米国特許第６，２５５，４８３号明細書に開示されているようなトリアジン、例えば、４，６−ビス−（２，４−ジメチルフェニル）−２−（２−ヒドロキシ−４−オクチルオキシフェニル）−ｓ−トリアジン、シアソルブ（登録商標：Ｃｙａｓｏｒｂ）１１６４，サイテック社、４，６−ビス−（２，４−ジメチルフェニル）−２−（２，４−ジヒドロキシフェニル）−ｓ−トリアジン、 ２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル）］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチルオキシカルボニルエチリデンオキシフェニル）−ｓ−トリアジン、２−フェニル−４−［２−ヒドロキシ−４−（３−第二ブチルオキシ−２−ヒドロキシプロピルオキシ）フェニル］−６−［２−ヒドロキシ−４−（３−第二アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−
ｎ−ブチルオキシフェニル）−ｓ−トリアジン、２，４−ビス（２，４−ジメチルフェニル）−６−［２−ヒドロキシ−４−（３−ノニルオキシ*−２−ヒドロキシプロピルオキシ）−５−α−クミルフェニル］−ｓ−トリアジン（＊は、オクチルオキシ基、ノニルオキシ基及びデシルオキシ基の混合物を表わす）、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、５：４：１の比において、３：５’、５：５’及び３：３’位を架橋されたメチレン架橋二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−第二ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと４，６−ビス−（２，４−ジメチルフェニル）−２−（２−ヒドロキシ−４−（３−トリデシルオキシ−２−ヒドロキシプロポキシ）−フェニル）−ｓ−トリアジンの混合物、チヌビン（登録商標：Ｔｉｎｕｖｉｎ）４００，チバ  スペシャルティ  ケミカルズ社、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン及び４，６−ジフェニル−２−（４−ヘキシルオキシ−２−ヒドロキシフェニル）−ｓ−トリアジン。
【００８８】
３．金属奪活剤、
例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８９】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−ジベンゾ［ｄ，ｆ］［１，３，２］ジオキサホスフェピン（ｄｉｏｘａｐｈｏｓｐｈｅｐｉｎ）、６−フルオロ−２，４，８，１０−テトラ−第三ブチル−１２−メチル−ジベンゾ［ｄ，ｇ］［１，３，２］ジオキサホスホシン、ビス（２，４−ジ−第三ブチル−６−メチルフェニル）メチルホスフィット、ビス（２，４−ジ−第三ブチル−６−メチルフェニル）エチルホスフィット、２，２’，２’’−ニトリロ［トリエチルトリス（３，３’，５，５’−テトラ−第三ブチル−１，１’−ビフ
ェニル−２，２’−ジイル）−ホスフィット］、２−エチルヘキシル（３，３’，５，５’−テトラ−第三ブチル−１，１’−ビフェニル−２，２’−ジイル）ホスフィット。
【００９０】
特に好ましいのは、以下のホスフィットである：
トリス（２，４−ジ−第三ブチルフェニル）ホスフィット（イルガフォス１６８（登録商標：Ｉｒｇａｆｏｓ）、チバ−スペシャルティ  ケミカルズ社）、トリス（ノニルフェニル）ホスフィット、
【化４】
2008505993.tif 000005
。
【００９１】
５．ヒドロキシルアミン、
例えば、Ｎ，Ｎ−ジベンジルヒドロキシルアミン、Ｎ，Ｎ−ジエチルヒドロキシルアミ
ン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及び水素化牛脂アミンから誘導されたＮ，Ｎ−ジアルキルヒドロキシルアミン。
【００９２】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン、及び水素化牛脂アミンから誘導されたＮ，Ｎ−ジアルキルヒドロキシルアミンから誘導されたニトロン。
【００９３】
７．アミンオキシド、
例えば、米国特許第５，８８４，０２９号明細書及び米国特許第５，８８０，１９１号明細書に開示されているようなアミンオキシド誘導体、ジデシルメチルアミンオキシド、トリデシルアミンオキシド、トリドデシルアミンオキシド及びトリヘキサデシルアミンオキシド。
【００９４】
８．ベンゾフラノン及びインドリノン、
例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書、欧州特許出願公開第０５９１１０２号明細書、欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン、３−（２−アセチル−５−イソオクチルフェニル）−５−イソオクチルベンゾフラノ−２−オン。
【００９５】
９．チオ相乗剤、
例えば、ジラウリルチオジプロピオネート又はジステアリルチオジプロピオネート。
【００９６】
１０．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【００９７】
１１．ポリアミド安定剤、
例えば、ヨウ化物及び／又はリン化合物と組み合わせた銅塩及び二価マンガンの塩。
【００９８】
１２．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００９９】
１３．核剤、
例えば、タルクのような無機物質、二酸化チタン、酸化マグネシウムのような金属酸化物、好ましくはアルカリ土類金属のホスフェート、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。
【０１００】
１４．充填剤及び強化剤、
例えば、炭酸カルシウム、シリケート、ガラス繊維、ガラス球、アスベスト、
タルク、カオリン、雲母、硫酸バリウム、金属酸化物及び金属水酸化物、カーボンブラック、グラファイト、木粉及び他の天然物の粉末又は繊維、合成繊維。
【０１０１】
１５．分散助剤、
例えば、ポリエチレンオキシドワックス又は鉱油。
【０１０２】
１６．他の添加剤、
例えば、可塑剤、滑剤、乳化剤、顔料、染料、蛍光増白剤、レオロジー添加剤、触媒、流れ調整剤、スリップ剤、架橋剤、架橋増進剤、ハロゲン掃去剤、防煙剤、防炎加工剤、静電防止剤、置換及び非置換ビスベンジリデンソルビトール等の透明剤、２，２’−ｐ−フェニレン−ビス（３，１−ベンゾオキサジノ−４−オン）等のベンゾオキサジノン紫外線吸収剤、シアソルブ（登録商標：Ｃｙａｓｏｒｂ）３６３８（ＣＡＳ登録番号：１８６００−５９−４）、及び発泡剤。
【０１０３】
好ましい更なる添加剤は、ヒンダードアミン光安定剤、ヒドロキシルアミン安定剤、有機リン安定剤、ベンゾフラノン安定剤及びヒドロキシフェニルベンゾトリアゾール、ヒドロキシフェニル−ｓ−トリアジン又はベンゾフェノン紫外線吸収剤からなる群から選択される１種以上の添加剤である。
【０１０４】
本発明のポリオレフィン組成物は、優れた耐候性（熱、酸素及び光に対する安定性）、耐引掻性、優れた加工安定性、優れた機械強度、優れた光沢の保留性を示し、かつ非粘着性である。ポリオレフィン成形部品は、例えば、自動車用途、即ちバンパー等のために適当である。
【０１０５】
本発明の他の観点は、ポリオレフィンのための耐引掻性付与剤（ｓｃｒａｔｃｈ  ｒｅｓｉｓｔａｎｔ  ａｇｅｎｔ）としての、成分（ｂ）及び（ｃ）の混合物の使用である。
【０１０６】
以下の実施例で本発明を更に詳細に説明する。特に記載がない限りは、全てのパーセントは質量部を表わす。
【実施例】
【０１０７】
実施例１：ポリオレフィンの耐引掻性
官能化されたマレイン酸変性α−オレフィンとステアリルエルカミドの２：１（質量比）ブレンド［成分（ｂ）及び（ｃ）の混合物；本発明のブレンド］を製造した。本発明の官能化されたマレイン酸変性α−オレフィンは、式
【化５】
2008505993.tif 000006
（式中、Ｒ1及びＲ2は、牛脂を表わし、Ｒは、炭素原子数２０ないし２４のアルキル基を表わし、ｎは、約４５の平均値を表わす。）で表わされる無水マレイン酸を有する炭素原子数２２ないし２６のポリマーの牛脂アルコールエステルである。
【０１０８】
比較性能を評価する他の添加剤は、オレアミド、ステアリルエルカミド及びダウ  コーニング  ＭＢ  ５０−３２１（Ｄｏｗ  Ｃｏｒｎｉｎｇ  ＭＢ  ５０−３２１）ポリシロキサン添加剤である。質量％は、ポリプロピレンに対するものである。添加剤を、タルクを２０ないし３０％及びカーボンブラックを２ないし３％含む耐衝撃変性コポリマーポリプロピレン（プロファックス（ＰＲＯＦＡＸ）  ７５２３：バーゼル社から市販で入手可能。）及び高耐衝撃性ポリプロピレン（メルトフロー：３ないし５）中に配合した。全ての配合は、２５ｍｍ二軸スクリュー押出機を使用し、工業規格条件下で行った。全ての配合物はまた、ヒドロキシフェニルベンゾトリアゾール紫外線吸収剤、ヒンダードアミン光安定剤、ヒンダードフェノール系抗酸化剤及び有機リン加工安定剤等の安定剤も含む。射出成形プラックを、ボーイ  ５０−Ｍ（ＢＯＹ  ５０−Ｍ）射出成形機で、標準条件を使用して、配合物サンプルから製造した。
【０１０９】
耐衝撃性に加えて、屋外暴露前及び屋外暴露後の耐引掻性を評価するために、いくつかの試験を行った。結果を以下に示す。
スタンダード  ファイブ  フィンガー  スクラッチ試験（Ｓｔａｎｄａｒｄ  Ｆｉｖｅ
Ｆｉｎｇｅｒ  Ｓｃｒａｔｃｈ  ｔｅｓｔ）ガイドライン（ダイムラークライスラー社
試験番号：ＬＰ−４６３ＤＤ−１８−１、２００２年７月２４日）。
評価 引掻幅 白化
１（最高）  ＜０．２ｍｍの幅                  なし
ほとんど目に見えない
２          ０．２−０．３ｍｍの幅            なし
わずかな変形、近距離で目に見える
３          ０．３−０．４ｍｍの幅
明らかに目に見える
４          ０．４−０．５ｍｍの幅            全ての引掻傷に対して
目に見える白化
５（最低）  ＞０．５ｍｍの幅                  全ての引掻傷に対して白化
場合により、残がいが伴う
結果（Ｎ＝ニュートン）
３Ｎ    ６Ｎ    １０Ｎ    １５Ｎ
対照                                  １．５  ４      ４．５    ５
１％オレアミド                        １．５  ２      ３．５    ４．５
３％ダウ  コーニングＭＢ５０−３２１  １．５  ２．５  ４        ５
３％本発明のブレンド                  １．５  ２      ２        ３．５
【０１１０】
屋外暴露後の結果
別の詳細な研究において、屋外暴露後の結果を示す。キセノン  アーク  ウェザロメーター（Ｘｅｎｏｎ  ａｒｃ  ＷｅａｔｈｅｒＯｍｅｔｅｒ）、放射照度：０．５５Ｗ／ｍ2（３４０ｎｍ）、自動車用内装品プロトコル：ＳＡＥ  Ｊ  １８８５−ＮＡＦＴＡ、ブラックパネル温度：８９℃、乾燥条件。６００ｋＪ／ｍ2に対する耐引掻性が望ましい。スタンダード  ファイブ  フィンガー試験の評価を以下に示す。
【表１】
2008505993.tif 000007
６００ＫＪＳに対する暴露後、ステアリルエルカミドを含むプラックは粘着性になった。本発明のブレンドは、屋外暴露のいかなる悪影響もなく、驚くべき相乗効果を示した。
【０１１１】
改良したテーバー磨耗試験
目視検査ガイドライン
評価 引掻幅 比較性能
１（最高）    ＜５０ｍｍ            優秀
２            ２００−３００ｍｍ    良好
３            ３００−４００ｍｍ    可
４            ４００−５００ｍｍ    不良
５（最低）    ＞５００ｍｍ          劣悪
改良したテーバー磨耗試験データ
対照                                  ４
１％オレアミド                        ２．５
３％ダウ  コーニングＭＢ５０−３２１  ２．５
３％本発明のブレンド                  １．５
上記結果は、ポリオレフィンにおける本発明のブレンドの顕著な耐引掻性の改善を示す。
【国際調査報告】
2008505993.tif 000011
2008505993.tif 000012